(57)【特許請求の範囲】
【請求項１】
複数の画像を出力ユニットから出力させる画像出力制御装置であって、
出力させるべき画像が、一対の左右画像で構成されたステレオ画像及び通常画像のいずれであるかを、前記出力させるべき画像のファイルに含まれるタグ情報に基づいて、判定する画像種判定手段と、
前記画像種判定手段にてステレオ画像であると判定された画像の第一の出力形態と、前記画像種判定手段にて通常画像であると判定された画像の第二の出力形態とを異ならせる出力形態制御手段とを有し、
前記出力形態制御手段は、前記ステレオ画像と判定された画像に、前記タグ情報から得られる前記ステレオ画像の立体視強度レベルを表す情報を付加する画像出力制御装置。
【請求項２】
前記出力形態制御手段は、前記ステレオ画像と判定された画像に、前記タグ情報から得られる前記ステレオ画像の立体視強度レベルに応じた色の枠画像を付加する請求項１記載の画像出力制御装置。
【請求項３】
複数の画像を出力ユニットから出力させる画像出力制御方法であって、
出力させるべき画像が、一対の左右画像で構成されたステレオ画像及び通常画像のいずれであるかを、前記出力させるべき画像のファイルに含まれるタグ情報に基づいて、判定する画像種判定ステップと、
前記画像種判定ステップにてステレオ画像である判定された画像の第一の出力形態と、前記画像種判定手段にて通常画像であると判定された画像の第二の出力形態とを異ならせる出力形態制御ステップとを有し、
前記出力形態制御ステップは、前記ステレオ画像と判定された画像に、前記タグ情報から得られる前記ステレオ画像の立体視強度レベルを表す情報を付加する画像出力制御方法。
【請求項４】
複数の画像を出力ユニットから出力させる処理をコンピュータに実行させる画像出力制御プログラムであって、
出力させるべき画像が、一対の左右画像で構成されたステレオ画像及び通常画像のいずれであるかを、前記出力させるべき画像のファイルに含まれるタグ情報に基づいて、判定する画像種判定ステップと、
前記画像種判定ステップにてステレオ画像である判定された画像の第一の出力形態と、前記画像種判定手段にて通常画像であると判定された画像の第二の出力形態とを異ならせる出力形態制御ステップとを前記コンピュータに実行させ、
前記出力形態制御ステップは、前記ステレオ画像と判定された画像に、前記タグ情報から得られる前記ステレオ画像の立体視強度レベルを表す情報を付加する画像出力制御プログラム。
【請求項５】
プリンタユニットと、
複数の画像を前記プリンタユニットから出力させる画像出力制御装置とを有するプリンタ装置であって、
前記画像出力制御装置は、請求項１又は２のいずれかに記載された画像出力制御装置となるプリンタ装置。
【発明の詳細な説明】
【技術分野】
【０００１】
本発明は、ステレオ画像及び通常画像を混在させてプリンタ、表示装置等に出力させる画像出力制御装置、画像出力制御方法及び画像出力制御プログラム並びにプリンタ装置に関する。
【背景技術】
【０００２】
従来、左右両眼の視差を利用して２つの画像から立体視が可能となるステレオ画像（３ＤＩ）が知られており、このようなステレオ画像をプリントする装置が提案されている（例えば、特許文献１参照）。この従来の装置は、別々の画像ファイルあるいは別々のコマとして形成された左眼用画像と右眼用画像とを立体視を可能とする最適な間隔をもって合成し、その合成画像をステレオ画像としてプリントアウトするものである。
【０００３】
このような従来の装置はステレオ画像を専用的にプリントするものであって、ステレオ画像及び通常画像を混在させてプリントすることは想定されていない。
【０００４】
ところで、近年、デジタルカメラ等の撮影機器の多機能化に伴い、左右両眼の視差を利用して立体視可能な１対の画像で構成されるステレオ画像を記録する機能を備えた撮影機器が提案されるに至っている。デジタルカメラ等の撮影機器は、常にステレオ画像を記録するものとして使用されるものではなく、好みに応じて通常画像（２ＤＩ）用とステレオ画像（３ＤＩ）用とに使い分けられ得る。このため、内蔵する記録媒体（メモリカード等）には、通常画像とステレオ画像とが混在して記録されることとなる。
【０００５】
前記記録媒体に画像ファイルとして蓄積された各種画像を一覧的に出力（表示、プリント）する場合（インデックス出力の場合等）、例えば、図１に示すように、各種画像がその画像ファイルの順番に出力されることとなる。図１に示す例では、出力領域（プリント用紙、表示画面）１００の大きさに応じて、拡縮された通常画像２ＤＩ（１）、２ＤＩ（２）と、１対の左右画像にて構成されるステレオ画像３ＤＩ（１）、３ＤＩ（２）とが、画像ファイルの順番（DSC001、DSC002、DSC003、DSC004）に出力領域１００に出力される。
【特許文献１】特開２００２−２８７２７５号公報
【発明の開示】
【発明が解決しようとする課題】
【０００６】
しかし、前述したように、通常画像２ＤＩとステレオ画像３ＤＩとが混在して出力される場合、利用者は、どれがステレオ画像３ＤＩであるかを一見して認識することが難しい。特に、各画像が複雑になると、通常画像２ＤＩであってもステレオ画像３ＤＩであると見誤る可能性あり、ステレオ画像３ＤＩであっても通常画像２ＤＩであると見誤る可能性がある。
【０００７】
本発明は、前記従来の装置の欠点を解決するためになされたもので、通常画像とステレオ画像とを見た目で容易に区別できるように表示装置やプリンタに出力させることのできる画像出力制御装置、画像出力制御方法及び画像出力制御プログラム並びに当該画像出力制御装置を備えたプリンタ装置を提供するものである。
【課題を解決するための手段】
【０００８】
本発明に係る画像出力制御装置は、複数の画像を出力ユニットから出力させる画像出力制御装置であって、出力させるべき画像が、一対の左右画像で構成されたステレオ画像及び通常画像のいずれであるかを、前記出力させるべき画像のファイルに含まれるタグ情報に基づいて、判定する画像種判定手段と、前記画像種判定手段にてステレオ画像であると判定された画像の第一の出力形態と、前記画像種判定手段にて通常画像であると判定された画像の第二の出力形態とを異ならせる出力形態制御手段とを有し、前記出力形態制御手段は、前記ステレオ画像と判定された画像に、前記タグ情報から得られる前記ステレオ画像の立体視強度レベルを表す情報を付加する構成となる。
【０００９】
このような構成により、複数の画像が、ステレオ画像である判定された画像については第一の出力形態にて、通常画像であると判定された画像については前記第一の出力形態と異なる第二の出力形態にてそれぞれ出力ユニットから出力される。また、出力すべき画像がステレオ画像であるか通常画像であるかをタグ情報に基づいて容易に判定することができる。さらに、前記付加画像に基づいて出力ユニットから出力された画像が立体視強度レベルがどの程度のステレオ画像であるかを知ることができる。
【００１０】
また、前記出力形態制御手段は、前記ステレオ画像と判定された画像に、前記タグ情報から得られる前記ステレオ画像の立体視強度レベルに応じた色の枠画像を付加する構成とすることができる。
【００４０】
本発明に係る画像出力制御方法は、複数の画像を出力ユニットから出力させる画像出力制御方法であって、出力させるべき画像が、一対の左右画像で構成されたステレオ画像及び通常画像のいずれであるかを、前記出力させるべき画像のファイルに含まれるタグ情報に基づいて、判定する画像種判定ステップと、前記画像種判定ステップにてステレオ画像である判定された画像の第一の出力形態と、前記画像種判定手段にて通常画像であると判定された画像の第二の出力形態とを異ならせる出力形態制御ステップとを有し、前記出力形態制御ステップは、前記ステレオ画像と判定された画像に、前記タグ情報から得られる前記ステレオ画像の立体視強度レベルを表す情報を付加する構成となる。
【００４１】
また、本発明に係る画像出力制御プログラムは、複数の画像を出力ユニットから出力させる処理をコンピュータに実行させる画像出力制御プログラムであって、出力させるべき画像が、一対の左右画像で構成されたステレオ画像及び通常画像のいずれであるかを、前記出力させるべき画像のファイルに含まれるタグ情報に基づいて、判定する画像種判定ステップと、前記画像種判定ステップにてステレオ画像である判定された画像の第一の出力形態と、前記画像種判定手段にて通常画像であると判定された画像の第二の出力形態とを異ならせる出力形態制御ステップとを前記コンピュータに実行させ、前記出力形態制御ステップは、前記ステレオ画像と判定された画像に、前記タグ情報から得られる前記ステレオ画像の立体視強度レベルを表す情報を付加する構成となる。
【００４２】
更に、本発明に係るプリンタ装置は、プリントユニットと、複数の画像を前記プリントユニットから出力させる画像出力制御装置とを有するプリンタ装置であって、前記画像出力制御装置は、前述したいずれかの画像出力制御装置となる構成となる。
【発明の効果】
【００４３】
本発明に係る画像出力制御装置によれば、複数の画像が、ステレオ画像であると判定された画像については第一の出力形態にて、通常画像であると判定された画像については前記第一の出力形態と異なる第二の出力形態にてそれぞれ出力ユニットから出力されるので、通常画像とステレオ画像とを見た目で容易に区別できるように表示装置やプリンタ等の出力ユニットに出力させることができる。
【発明を実施するための最良の形態】
【００４４】
以下、本発明の実施の形態について、図面を用いて説明する。
【００４５】
本発明の実施の一形態に係る画像出力制御装置が適用されるシステムは、図２に示すように構成される。
【００４６】
図２において、デジタルカメラ１０がプリンタ装置２０に、ＵＳＢケーブル１５にて接続されている。プリンタ装置２０は、ＵＳＢケーブル１５を介してデジタルカメラ１０にセットされたメモリデバイス１２から画像データを取り込むことが可能となっている。また、プリンタ装置２０は、メモリデバイス１２のスロットを備えており、デジタルカメラ１０から取り外されたメモリデバイス１２を前記スロットにセットすることにより、メモリデバイス１２に蓄積された画像データを取り込むこともできる。デジタルカメラ１０は、通常の平面的な画像を得るための通常撮影モードと、立体視可能な１対の左右画像にて構成されるステレオ画像を得るためのステレオ撮影モードとを有し、各撮影モードにて得られる通常画像とステレオ画像とをその撮影順にメモリデバイス１２に記録（蓄積）する。ステレオ画像は、立体視可能な１対の左右画像が一体となった単一の画像（図１における３ＤＩ（１）、３ＤＩ（２）参照）である。通常画像及びステレオ画像は、タグ情報（Exifタグ情報）を含む画像ファイルの形式となる。
【００４７】
プリンタ装置２０は、図３に示すように構成されている。
【００４８】
図３において、プリンタ装置２０は、処理ユニット２１、操作ユニット２２及びプリンタユニット２３を有する。処理ユニット２1は、予めセットされたプログラムに従って、メモリデバイス１２に蓄積された通常画像及びステレオ画像を取り込み、所定の処理を実行してプリントアウトすべき画像を表すプリントデータを生成し、プリンタユニット２２に送る。プリンタユニット２３は、処理ユニット２１の制御のもと前記プリントデータに従って画像を所定の用紙にプリントアウトする。
【００４９】
メモリデバイス１２に蓄積された通常画像及びステレオ画像を一覧的にプリントアウト（インデックスプリント）する場合、処理ユニット２１は、図４に示す手順に従って処理を実行する。
【００５０】
図４において、処理ユニット２１は、インデックスプリント指示操作に基づいた制御信号を操作ユニット２２から入力すると（Ｓ１０）、インデックスリスト生成処理（Ｓ２０）を実行し、図５に示すようなプリントアウトすべき画像ファイルのリストを表すインデックスリストを生成する。このようなインデックスリストが生成されると、処理ユニット２１は、ページ生成処理（Ｓ３０）を実行し、前記インデックスリストに示される画像ファイルに対応したインデックス画像（通常画像及びステレオ画像を表す）の配列されたページ単位のプリントデータを生成する。そして、処理ユニット２１は、前記ページ単位のプリントデータをプリンタユニット２３に送る（Ｓ４０）。
【００５１】
前記インデックスリスト生成処理（Ｓ２０）は、例えば、図６に示す手順に従って実行される。
【００５２】
図６において、処理ユニット２１は、メモリデバイス１２から画像ファイルを読み出し（Ｓ２１）、その画像ファイルに含まれるExifタグ情報を読み出す（Ｓ２２）。そして、処理ユニット２１は、そのExifタグ情報に基づいて前記読み出した画像ファイルの画像がステレオ画像であるか否かを判定する（Ｓ２３）。前記画像ファイルの画像がステレオ画像であるとの判定がなされると（Ｓ２３でＹＥＳ）、処理ユニット２１は、３Ｄフラグをオン「１」にして（Ｓ２４）、画像ファイル名とその３Ｄフラグとを対にしたインデックスをインデックスリストに追加する（Ｓ２６）。一方、前記画像ファイルの画像がステレオ画像ではない、即ち、通常画像であるとの判定がなされると（Ｓ２３でＮＯ）、処理ユニット２１は、３Ｄフラグをオフ「０」にして（Ｓ２５）、画像ファイル名とその３Ｄフラグとを対にしたインデックスをインデックスリストに追加する（Ｓ２６）。
【００５３】
処理ユニット２１は、メモリデバイス１２から全ての画像ファイルの読み出しが終了したか否かを判定し（Ｓ２７）、全ての画像ファイルの読み出しが終了していないとの判定がなされると（Ｓ２７でＮＯ）、メモリデバイス１２から次の画像ファイルを読み出して（Ｓ２１）、前述したのと同様の手順での処理（Ｓ２２、Ｓ２３、Ｓ２４（またはＳ２５）、Ｓ２６）を実行し、その読み出した画像ファイルの画像ファイル名と３Ｄフラグとを対にしたインデックスをインデックスリストに追加する。以後、メモリデバイス１２に蓄積された全ての画像ファイルの読み出しが終了するまで（Ｓ２７でＮＯ）、前述した処理が繰り返し実行される。
【００５４】
メモリデバイス１２に蓄積された全ての画像ファイルの読み出しが終了すると（Ｓ２７でＹＥＳ）、その全ての画像ファイルのそれぞれの画像ファイル名とステレオ画像であるか通常画像であるかを表す３Ｄフラグとが対になったインデックスのリスト、即ち、インデックスリストが完成する。メモリデバイス１２に蓄積されていた画像ファイルが、図１に示すように、通常画像２ＤＩ（１）、２ＤＩ（２）、ステレオ画像３ＤＩ（１）、３ＤＩ（２）の４つの画像ファイルであって、その画像ファイル番号（画像ファイル名）の順番（DSC001、DSC002、DSC003、DSC004）にて読み出された場合、図５に示すようなインデックスリストが生成される。
【００５５】
なお、前記インデックスリスト生成処理において、インデックスリストの各インデックスの並べ替え処理（Ｓ２８）を実行することもできる。この並べ替え処理については後述する。
【００５６】
前記インデックスリスト生成処理（Ｓ２０）の次に実行されるべきページ生成処理（Ｓ３０）は、図７に示す手順に従って実行される。
【００５７】
図７において、処理ユニット２１は、前記インデックスリストからインデックスを読み出し（Ｓ３１）、そのインデックスに含まれる３Ｄフラグがオンであるか否かを判定する（Ｓ３２）。即ち、インデックスリストにリストアップされる画像ファイルがステレオ画像及び通常画像のいずれのものであるかが判定される。処理ユニット２１は、３Ｄフラグがオンであるとの判定がなされると（Ｓ３２でＹＥＳ）、ステレオ画像用の枠画像等のテンプレート（付加画像）を生成し（Ｓ３３）、一方、３Ｄフラグがオフであるとの判定がなされると（Ｓ３２でＮＯ）、通常画像用の枠画像のテンプレートを生成する（Ｓ３４）。
【００５８】
そして、処理ユニット２１は、当該インデックスに含まれる画像ファイル名で特定される画像ファイルの画像と前記生成されたテンプレートとを合成する画像加工処理を実行する（Ｓ３５）。この画像加工処理（Ｓ３５）は、例えば、図８に示す手順に従って実行される。
【００５９】
図８において、画像ファイルから画像データが読み出され（Ｓ３５１）、その画像ファイルと対になる３Ｄフラグがオンであるか否かが判定される（Ｓ３５２）。前記３Ｄフラグがオンであるとの判定がなされると（Ｓ３５２でＹＥＳ）、即ち、読み出された画像（画像データ）がステレオ画像である場合、更に、そのステレオ画像を平面画像化（通常画像化）する指示がなされているか否かが判定される（Ｓ３５３）。この平面画像化の指示は、前記インデックスプリントの指示がなされる際に操作ユニット２２の操作にてなされ得る。平面画像化の指示がなされた場合、処理ユニット２１は、その情報を保持している。
【００６０】
前記ステレオ画像の平面画像化の指示がなされているとの判定がなされると（Ｓ３５３でＹＥＳ）、読み出されたステレオ画像の画像幅の１／２でのトリミングがなされ、当該ステレオ画像がそれを構成する右画像と左画像とに分割される（Ｓ３５４）。そして、前記右画像及び左画像のうちのいずれかがプリントアウトされるべき画像として選択され、その選択された画像が前述したように生成された（図７におけるＳ３３参照）ステレオ画像用のテンプレート領域に合わせて拡縮される（Ｓ３５５）。その拡縮後の画像がステレオ画像用のテンプレート領域に貼り付けられ（合成され）、ステレオ画像を表すインデックス画像が生成される（Ｓ３５６）。
【００６１】
なお、前記右画像と左画像のいずれを選択するかは、予め設定されていても、また、操作ユニット２２にて指定されるものであってもよい。
【００６２】
読み出された画像がステレオ画像と判定された場合（Ｓ３５２でＹＥＳ）であっても、そのステレオ画像を平面画像化する指示がなされていなければ（Ｓ３５３でＮＯ）、前記読み出されたステレオ画像がそのままステレオ画像用のテンプレート領域に合わせて拡縮され（Ｓ３５５）、その拡縮後のステレオ画像がステレオ画像用のテンプレートに貼り付けられて、ステレオ画像を表すインデックス画像が生成される。
【００６３】
一方、読み出された画像がステレオ画像ではないとの判定がなされた場合（Ｓ３５２でＮＯ）、即ち、読み出された画像が通常画像であるとの判定がなされた場合、その通常画像が前述したように生成された（図７におけるＳ３４参照）通常画像用のテンプレート領域に合わせて拡縮される（Ｓ３５５）。その拡縮後の通常画像が前記通常画像用のテンプレートに貼り付けられ（合成され）、通常画像を表すインデックス画像が生成される（Ｓ３５６）。
【００６４】
前述したような手順に従って画像加工処理が終了すると、図７に戻って、処理ユニット２１は、ページアウト処理（Ｓ３６）を実行する。このページレイアウト処理では、１ページ分の画像メモリ領域上で、前述したように生成されたインデックス画像の位置、即ち、レイアウト座標値が所定の規則に従って指定される。そして、１ページ分の画像メモリ領域にその指定された位置に前記インデックス画像が配置される。その後、処理ユニット２１は、１ページ分の画像メモリ領域にインデックス画像が満たされていれば、ページ切り替え処理を行ない（Ｓ３７）、次ページ分の画像メモリ領域を確保する。
【００６５】
処理ユニット２１は、インデックスリストに含まれる全ての画像ファイルについての処理が終了したか否かを判定し（Ｓ３８）、全ての画像ファイルについての処理が終了していないとの判定がなされると（Ｓ３８でＮＯ）、インデックスリストから次のインデックスを読み出し（Ｓ３１）、前述したのと同様の手順での処理（Ｓ３２、Ｓ３３（またはＳ３４）、Ｓ３５、Ｓ３６、Ｓ３７）を実行し、ステレオ画像を表すインデックス画像または通常画像を表すインデックス画像を１ページ分の画像メモリ領域に配置する。以後、インデックスリストに含まれる全ての画像ファイルについての処理が終了するまで（Ｓ３８）、前述した処理が繰り返し実行される。
【００６６】
前記ページ生成処理（Ｓ３０）が終了すると、処理ユニット２１は、ページ出力処理（Ｓ４０：図４参照）により、前記ステレオ画像を表すインデックス画像と通常画像を表すインデックス画像とが混在するページデータがプリントデータとして順次プリンタユニット２３に送る。プリンタユニット２３は、受信したプリントデータに基づいてページ単位にプリントアウト処理を行なう。
【００６７】
プリンタユニット２３によるプリントアウト処理により、図９乃至図１２に示すようなプリント結果が得られる。
【００６８】
図９は、ステレオ画像用テンプレートに枠画像と共にステレオ画像を表す文字列（付加画像「３Ｄ」）が含まれ（図７におけるＳ３３での処理参照）、ステレオ画像を構成する右画像及び左画像のいずれか一方がプリントアウトされるべき画像として選択された（図８におけるＳ３５３、Ｓ３５４での処理参照）場合を示す。即ち、プリント用紙１００に、枠５０内に通常画像（２ＤＩ（１）、２ＤＩ（２））が含まれた構成となる通常画像を表すインデックス画像と、枠５０内に右画像及び左画像のいずれか一方（３ＤＩ´（１）、３ＤＩ´（２））が含まれると共に、その枠５０に隣接して文字列「３Ｄ」が配置された構成となるステレオ画像を表すインデックス画像が配列される。このようなプリント結果よれば、ステレオ画像を表すインデックス画像は文字列「３Ｄ」が付されたプリント形態となっており、通常画像を表すインデックス画像はその文字列のないプリント形態となる。従って、ユーザは、文字列「３Ｄ」の有無（プリント形態の差異）により各インデックス画像がステレオ画像を表すものか通常画像を表すものかを容易に見分けることができる。
【００６９】
図１０に示す例では、プリント用紙１００に、白色の枠内に通常画像（２ＤＩ（１）、２ＤＩ（２））が含まれた構成となる通常画像を表すインデックス画像と、白以外の色となる枠５２内に右画像及び左画像のいずれか一方（３ＤＩ´（１）、３ＤＩ´（２））が含まれた構成となるステレオ画像を表すインデックス画像とが配列される。従って、ユーザは、枠の色の違いに基づいたプリント形態に差異により各インデックス画像がステレオ画像を表すものか通常画像を表すものかを容易に見分けることができる。
【００７０】
図１１は、ステレオ画像用のテンプレートに影画像ＳＤＩが含まれ（図７におけるＳ３３での処理参照）、ステレオ画像を構成する右画像及び左画像のいずれか一方がプリントアウトすべき画像として選択された（図８におけるＳ３５３、Ｓ３５４での処理参照）場合を示す。即ち、プリント用紙１００に、透明の枠内に通常画像（２ＤＩ（１）、２ＤＩ（２））が含まれた構成となる通常画像を表すインデックス画像と、右画像及び左画像のいずれか一方（３ＤＩ´（１）、３ＤＩ´（２））に影画像ＳＤＩが付加された構成となるステレオ画像を表すインデックス画像とが配列される。従って、ユーザは、影画像ＳＤＩの有無に基づいたプリント形態の差異により各インデックス画像がステレオ画像を表すものか通常画像を表すものかを容易に見分けることができる。
【００７１】
図１２に示す例は、ステレオ画像用のインデックス画像が配列されるページ（図７におけるＳ３６での処理参照）と通常画像のインデックス画像が配列されるページ（図７におけるＳ３６での処理参照）とが異なる場合を示している。即ち、即ち、プリント用紙１０１に、枠内に通常画像（２ＤＩ（１）、２ＤＩ（２））が含まれた構成となる通常画像を表すインデックス画像が配列され、他のプリント用紙１０２に、枠内にステレオ画像（３ＤＩ（１）、３ＤＩ（２））が含まれた構成となるステレオ画像を表すインデックス画像が配列される。従って、ユーザは、プリント用紙の違いによるプリント形態の差異により、各インデックス画像がステレオ画像を表すものか通常画像を表すものかを容易に見分けることができる。
【００７２】
前述した並べ替え処理（図６におけるＳ２８参照）について説明する。
【００７３】
この並べ替え処理（Ｓ２８）は、図１３に示す手順に従ってなされる。即ち、予め定められたテンプレートのパターンが読み込まれ（Ｓ２８１）、そのテンプレートパターンに従ってインデックスリスト（図５参照）の各インデックスが並べ替えられる（Ｓ２８２）。例えば、図１４（ａ）に示すように、用紙の上側部分に通常画像を表すインデックス画像を配列し、用紙の下側部分にステレオ画像を表すインデックス画像を配列し、ページレイアウト処理（図７におけるＳ３６参照）でのレイアウト規則が用紙の上側からかつ左側から順にインデックス画像を配列するという規則となる場合、画像ファイルの読み出し順序に従ったインデックスリスト内の各画像ファイルの順番が図１４（ｂ）に示すように並べ替えられる。また、例えば、図１５（ａ）に示すように、用紙の上側部分にステレオ画像を表すインデックス画像を配列し、用紙の下側部分に通常画像を表すインデックス画像を配列し、ページレイアウト処理でのレイアウト規則が用紙の上側からかつ左側から順にインデックス画像を配列するという規則となる場合、画像ファイルの読み出し順序に従ったインデックスリスト内の各画像ファイルの順番が図１５（ｂ）に示すように並べ替えらえられる。
【００７４】
並べ替え処理を実行しなかった場合に図１６に示すように配列されるべきインデックス画像は、前記並べ替え処理により図１７乃至図２０に示すように配列される。
【００７５】
図１７に示す例では、用紙１００において、その上側部分に、通常画像（２ＤＩ（１）、２ＤＩ（２））が枠に含まれたインデックス画像が配列され、その下側部分にステレオ画像（３ＤＩ（１）、３ＤＩ（２））が枠に含まれたインデックス画像が配列される。従って、通常画像を表すインデックス画像は用紙１００の上側部分に配列されるというプリント形態と、ステレオ画像を表すインデックス画像は用紙１００の下側部分に配列されるというプリント形態により、ユーザは、各インデックス画像がステレオ画像を表すものか通常画像を表すものかを容易に見分けることができる。
【００７６】
図１８に示す例では、更に、ステレオ画像を表すインデックス画像が、枠に含まれる右画像及び左画像のいずれか一方（３ＤＩ´（１）、３ＤＩ´（２））と、文字列「３Ｄ」にて構成される。この場合、配列領域の違いと共に、文字列「３Ｄ」の有無によって、ユーザは、用紙１００内に配列された各インデックス画像がステレオ画像を表すものか通常画像を表すものかを容易に見分けることができる。
【００７７】
図１９に示す例では、更に、ステレオ画像用テンプレートの枠画像５３が通常画像用のテンプレートの枠画像５１より大きく設定されることにより（図７におけるＳ３３、Ｓ３４での処理参照）、ステレオ画像を表すインデックス画像が通常画像を表すインデックス画像より大きくなっている。この場合、配列領域の違いと共に、画像の大きさの違いにより、ユーザは、用紙１００内に配列された各インデックス画像がステレオ画像を表すものか通常画像を表すものかを容易に見分けることができる。
【００７８】
図２０に示す例では、用紙１００の上側部分に配列される通常画像を表すインデックス画像の配列幅Ｗと、用紙１００の下側部分に配列されるステレオ画像を表すインデックス画像の配列幅Ｗが同じに設定される。このような出力形態は、図７に示すページレイアウト処理にて適用されるレイアウト規則により実現することができる。この場合、通常画像を表すインデックス画像（枠５１）の大きさとステレオ画像を表すインデックス画像（枠５３）の大きさとが異なっていても、それらの配列幅が揃うので、通常画像を表すインデックス画像とステレオ画像を表すインデックス画像とが見栄え良く用紙１００内に配列されるようになる。
【００７９】
前述した処理を実行する処理ユニット２１を備えるプリンタ装置２０は、図２１に示す手順にてプリント動作を行う。
【００８０】
即ち、前述した処理に従って生成されたプリントデータにより、プリンタユニット２３は、インデックス画像のプリントを行なう（Ｓ５０）。そのインデックス画像のプリントされた用紙を見たユーザが操作ユニット２２を操作して、図２２（ａ）に示すように、印刷したい画像に対応したインデックスプリントの画像ファイル番号（DSC001〜DSC004等）の指定入力を行なうと（Ｓ６０）、処理ユニット２１は、その画像ファイル番号にて特定される画像データをプリンタユニット２３に送る。これにより、プリンタユニット２３は、図２２（ｂ）に示すように、その指定された画像ファイルの画像（通常画像またはステレオ画像）をプリントアウトする（Ｓ７０）。
【００８１】
ところで、プリントされたステレオ画像を立体視する場合、ステレオ画像の立体視強度レベルに応じてユーザの目の負担が異なる。以下のようにすることにより、ステレオ画像をプリントする前にそのプリントすべきステレオ画像の立体視強度レベルを知ることができるようになる。
【００８２】
図７に示すステップＳ３３での処理において、ステレオ画像用のテンプレートに、Exifタグ情報から得られる立体視強度レベルに応じた付加画像が含められる。例えば、図２３に示すように、立体視強度レベルに応じた数の★印が前記テンプレートに含められる。この場合、図２４に示すように、インデックスプリントにおいて、ステレオ画像を表す各インデックス画像（３ＤＩ´（１）、３ＤＩ´（２））は、当該ステレオ画像の立体視強度レベルに応じた数の★印を含むこととなる。
【００８３】
また、立体視強度レベルに応じた色の枠画像を前記テンプレートに含めることもできる。例えば、図２５に示すように、立体視強度レベルに応じて「白色」、「青色」、「黄色」、「赤色」の枠画像がステレオ画像用のテンプレートとして用意される。この場合、図２６に示すように、インデックスプリントにおいて、ステレオ画像を表す各インデックス画像は、当該ステレオ画像の立体視強度レベルに応じた色の枠画像に右画像及び左画像のいずれか（３ＤＩ´（１）、３ＤＩ´（２））に含まれた構成となる。
【００８４】
このように、インデックスプリントにおいて、ステレオ画像用のインデックス画像に当該ステレオ画像の立体視強度レベルを表す付加画像が含まれることから、ユーザは、ステレオ画像をプリントアウトする前に、そのステレオ画像の立体視強度レベルを知ることができるようになる。
【００８５】
なお、前述した処理ユニット２１は、プリンタ装置２０に含まれるものであったが、デジタルカメラ１０に含まれるものであっても、また、パソコンなどの他のコンピュータ端末に含まれるものであってもよい。
【００８６】
また、前述した処理は、通常画像及びステレオ画像を表すインデックス画像をコンピュータ端末の表示画面、あるいは、デジタルカメラ１０の表示画面に表示させる際にも、同様に行い得るものである。
【産業上の利用可能性】
【００８７】
本発明に係る画像出力制御装置は、通常画像とステレオ画像とを見た目で容易に区別できるように表示装置やプリンタに出力させることのできるという効果を有し、ステレオ画像及び通常画像を混在させてプリンタ、表示装置等に出力させる画像出力制御装置として有用である。
【図面の簡単な説明】
【００８８】
【図１】従来のプリント例を示す図である。
【図２】本発明に係る画像出力制御装置を含むシステムを示す図である。
【図３】プリンタ装置の構成例を示す図である。
【図４】インデックスプリントの処理手順を示すフローチャートである。
【図５】インデックスリストの構成例を示す図である。
【図６】インデックスリスト生成処理の詳細手順を示すフローチャートである。
【図７】ページ生成処理の詳細手順を示すフローチャートである。
【図８】画像加工処理の詳細手順を示すフローチャートである。
【図９】インデックスプリントの例（その１）を示す図である。
【図１０】インデックスプリントの例（その２）を示す図である。
【図１１】インデックスプリントの例（その３）を示す図である。
【図１２】インデックスプリントの例（その４）を示す図である。
【図１３】並び替え処理の詳細手順を示すフローチャートである。
【図１４】インデックスリストの並べ替えの態様を示す図である。
【図１５】インデックスリストの並べ課の他の態様を示す図である。
【図１６】インデックスプリントの例（その５）を示す図である。
【図１７】インデックスプリントの例（その６）を示す図である。
【図１８】インデックスプリントの例（その７）を示す図である。
【図１９】インデックスプリントの例（その８）を示す図である。
【図２０】インデックスプリントの例（その９）を示す図である。
【図２１】プリント手順を示すフローチャートである。
【図２２】インデックスプリントと、そのインデックスプリントから選択されたステレオ画像とを示す図である。
【図２３】立体視強度レベルと付加画像（★印）との関係を示す図である。
【図２４】インデックスプリントの例（その１０）を示す図である。
【図２５】立体視強度レベルと付加画像（枠画像の色）との関係を示す図である。
【図２６】インデックスプリントの例（その１１）を示す図である。
【符号の説明】
【００８９】
１０  デジタルカメラ
１２  メモリデバイス
１５  ＵＳＢケーブル
２０  プリンタ装置
２１  処理ユニット
２２  操作ユニット
２３  プリンタユニット
【図１】
0004665430.tif 000002
【図２】
0004665430.tif 000003
【図３】
0004665430.tif 000004
【図４】
0004665430.tif 000005
【図５】
0004665430.tif 000006
【図６】
0004665430.tif 000007
【図７】
0004665430.tif 000008
【図８】
0004665430.tif 000009
【図９】
0004665430.tif 000010
【図１０】
0004665430.tif 000011
【図１１】
0004665430.tif 000012
【図１２】
0004665430.tif 000013
【図１３】
0004665430.tif 000014
【図１４】
0004665430.tif 000015
【図１５】
0004665430.tif 000016
【図１６】
0004665430.tif 000017
【図１７】
0004665430.tif 000018
【図１８】
0004665430.tif 000019
【図１９】
0004665430.tif 000020
【図２０】
0004665430.tif 000021
【図２１】
0004665430.tif 000022
【図２２】
0004665430.tif 000023
【図２３】
0004665430.tif 000024
【図２４】
0004665430.tif 000025
【図２５】
0004665430.tif 000026
【図２６】
0004665430.tif 000027